(57)【要約】  アクセス端末が、現在のキャリア識別情報に基づく通信インターフェースの自動構成を可能にするように適応される。アクセス端末（２００）において処理回路（２０２）は、サブスクリプションモジュール（２０４）からキャリア識別情報（２１２）を決定し得る。キャリア識別情報に関連するモデム構成は、処理回路によってアクセス可能な記憶媒体に記録されたモデム構成データ（２１０）から処理回路によって選択され得る。選択されたキャリア固有ソフトウェア構成は、次いで、キャリア識別情報に関連するキャリアとのワイヤレス通信を容易にするようにアクセス端末の通信インターフェース（２０６）を構成するために処理回路によってアクティブ化され得る。
2016519886.tif 000002
【特許請求の範囲】
【請求項１】
アクセス端末であって、前記アクセス端末は下記を備える、
通信インターフェースと、
モデム構成データを備える記憶媒体と、
第１のキャリア識別情報を含む第１のサブスクリプションモジュールと、
前記通信インターフェースと、前記記憶媒体と、前記サブスクリプションモジュールとに結合された処理回路、前記処理回路は、
前記第１のサブスクリプションモジュールからの前記第１のキャリア識別情報を決定し、
前記モデム構成データから、前記第１のキャリア識別情報に関連する第１のモデム構成を選択し、
前記第１のキャリア識別情報に関連するキャリアを用いて動作するように前記通信インターフェースを構成するために前記第１のモデム構成をアクティブ化する、
ように適応される。
【請求項２】
前記第１のキャリア識別情報が、前記第１のサブスクリプションモジュールの集積回路カード識別子（ＩＣＣＩＤ）中に含まれる発行者識別番号（ＩＩＮ）から決定される、請求項１に記載のアクセス端末。
【請求項３】
前記第１のキャリア識別情報が、前記第１のサブスクリプションモジュールのモバイル国コード（ＭＣＣ）とモバイルネットワークコード（ＭＮＣ）とを含むパブリックランドモバイルネットワークＩＤ（ＰＬＭＮＩＤ）から決定される、請求項１に記載のアクセス端末。
【請求項４】
前記第１のキャリア識別情報が、前記第１のサブスクリプションモジュールに関連する国際モバイル加入者識別情報（ＩＭＳＩ）から決定される、請求項１に記載のアクセス端末。
【請求項５】
前記第１のモデム構成が、キャリア固有ソフトウェアイメージ、キャリア固有ソフトウェア構成、またはキャリア固有ソフトウェアイメージとキャリア固有ソフトウェア構成の両方を備える、請求項１に記載のアクセス端末。
【請求項６】
前記処理回路は、
前記第１のサブスクリプションモジュールが、前記第１のキャリア識別情報とは異なる第２のキャリア識別情報を含む第２のサブスクリプションモジュールと入れ替えられたと決定し、
前記モデム構成データから前記第２のキャリア識別情報に関連する第２のモデム構成を選択し、
前記第２のキャリア識別情報に関連するキャリアを用いて動作するように前記通信インターフェースを構成するために前記第１のモデム構成の代替として前記第２のモデム構成をアクティブ化する、
ようにさらに適応された、請求項１に記載のアクセス端末。
【請求項７】
前記処理回路は、前記アクセス端末が電源投入された時間に、前記第１のサブスクリプションモジュールが、前記アクセス端末が電源切断されたときに前記第２のサブスクリプションモジュールと入れ替えられたと決定するように適応された、請求項６に記載のアクセス端末。
【請求項８】
前記処理回路は、前記第１のサブスクリプションモジュールがランタイム動作中に前記第２のサブスクリプションモジュールと入れ替えられたと決定するように適応された、請求項６に記載のアクセス端末。
【請求項９】
前記処理回路は、前記第１のサブスクリプションモジュールからの前記第１のキャリア識別情報を決定する前に、キャリア自動選択機能が有効化されることを決定するようにさらに適応された、請求項１に記載のアクセス端末。
【請求項１０】
前記処理回路は、前記キャリア識別情報に関連するモデム構成が配置されていないときにデフォルトモデム構成を選択するようにさらに適応された、請求項１に記載のアクセス端末。
【請求項１１】
アクセス端末上で動作可能な方法であって、前記方法は下記を備える、
サブスクリプションモジュールからのキャリア識別情報を決定することと、
記憶媒体に記憶されたモデム構成データから前記キャリア識別情報に関連するモデム構成を選択することと、
前記キャリア識別情報に関連する動作を可能にするように通信インターフェースを構成するために、前記選択されたモデム構成をアクティブ化すること。
【請求項１２】
前記サブスクリプションモジュールからの前記キャリア識別情報を決定することが、前記サブスクリプションモジュールの集積回路カード識別子（ＩＣＣＩＤ）中に含まれる発行者識別番号（ＩＩＮ）を識別することを備える、請求項１１に記載の方法。
【請求項１３】
前記サブスクリプションモジュールからの前記キャリア識別情報を決定することが、前記サブスクリプションモジュールに関連するパブリックランドモバイルネットワークＩＤ（ＰＬＭＮＩＤ）からのモバイル国コード（ＭＣＣ）とモバイルネットワークコード（ＭＮＣ）とを識別することを備える、請求項１１に記載の方法。
【請求項１４】
前記サブスクリプションモジュールからの前記キャリア識別情報を決定することが、
前記サブスクリプションモジュールに関連する国際モバイル加入者識別情報（ＩＭＳＩ）にアクセスすることと、
前記サブスクリプションモジュールに関連する前記ＩＭＳＩを含むＩＭＳＩの範囲に関連するキャリアの識別情報を識別することと、
を備える、請求項１１に記載の方法。
【請求項１５】
前記サブスクリプションモジュールからの前記キャリア識別情報を決定することは、前記サブスクリプションモジュールが前のサブスクリプションモジュールと入れ替わったことと、前記サブスクリプションモジュールからの前記キャリア識別情報が前記前のサブスクリプションモジュール中の前のキャリア識別情報とは異なることとを決定することを備える、請求項１１に記載の方法。
【請求項１６】
前記サブスクリプションモジュールが前記前のサブスクリプションモジュールと入れ替わったことを決定することは、前記サブスクリプションモジュールがランタイム動作中に前記前のサブスクリプションモジュールと入れ替わったことを検出することを備える、請求項１５に記載の方法。
【請求項１７】
前記キャリア識別情報に関連する動作を可能にするように通信インターフェースを構成するために、前記選択されたモデム構成をアクティブ化することが、
前のモデム構成を前記選択されたモデム構成と入れ替えること
を備え、ここにおいて、前記前のモデム構成が、前記前のキャリア識別情報に関連する動作を可能にするように前記通信インターフェースを構成するように適応された、請求項１５に記載の方法。
【請求項１８】
前記サブスクリプションモジュールからの前記キャリア識別情報を決定することは、前記アクセス端末が電源投入されたときに前記サブスクリプションモジュールからの前記キャリア識別情報を決定することを備える、請求項１１に記載の方法。
【請求項１９】
記憶媒体に記憶されたモデム構成データから前記キャリア識別情報に関連する前記モデム構成を選択することは、前記キャリア識別情報に関連するモデム構成がないときにデフォルトモデム構成を選択することを備える、請求項１１に記載の方法。
【請求項２０】
記憶媒体に記憶されたモデム構成データから前記キャリア識別情報に関連する前記モデム構成を選択することが、前記モデム構成データから、前記キャリア識別情報に関連するソフトウェアイメージ、前記キャリア識別情報に関連するソフトウェア構成、または前記キャリア識別情報に関連するソフトウェアイメージとソフトウェア構成の両方を選択することを備える、請求項１１に記載の方法。
【請求項２１】
前記サブスクリプションモジュールからの前記キャリア識別情報を決定するより前に、キャリア自動選択機能が有効化されることを決定することをさらに備える、請求項１１に記載の方法。
【請求項２２】
前記キャリア識別情報に関連する動作を可能にするように前記通信インターフェースを構成するために、前記選択されたモデム構成をアクティブ化することが、前記キャリア識別情報に関連するキャリアを用いて動作するように前記通信インターフェースを構成するために、前記選択されたモデム構成をアクティブ化することを備える、請求項１１に記載の方法。
【請求項２３】
アクセス端末であって、前記アクセス端末は下記を備える、
第１のサブスクリプションモジュールからの第１のキャリア識別情報を決定するための手段と、
記憶媒体に記憶されたモデム構成データから前記第１のキャリア識別情報に関連する第１のモデム構成を選択するための手段と、
前記第１のキャリア識別情報に関連するキャリアを用いて動作するように通信インターフェースを構成するために前記第１のモデム構成をアクティブ化するための手段。
【請求項２４】
前記第１のキャリア識別情報が、前記サブスクリプションモジュールの集積回路カード識別子（ＩＣＣＩＤ）中に含まれる発行者識別番号（ＩＩＮ）を備える、請求項２３に記載のアクセス端末。
【請求項２５】
前記第１のキャリア識別情報が、前記第１のサブスクリプションモジュールのパブリックランドモバイルネットワークＩＤ（ＰＬＭＮＩＤ）に関連するモバイル国コード（ＭＣＣ）とモバイルネットワークコード（ＭＮＣ）とを備える、請求項２３に記載のアクセス端末。
【請求項２６】
前記第１のキャリア識別情報が、前記サブスクリプションモジュールに関連する国際モバイル加入者識別情報（ＩＭＳＩ）を備える、請求項２３に記載のアクセス端末。
【請求項２７】
前記第１のモデム構成が、キャリア固有ソフトウェアイメージ、キャリア固有ソフトウェア構成、またはキャリア固有ソフトウェアイメージとキャリア固有ソフトウェア構成の両方を備える、請求項２３に記載のアクセス端末。
【請求項２８】
前記第１のサブスクリプションモジュールが、前記第１のキャリア識別情報とは異なる第２のキャリア識別情報を含む第２のサブスクリプションモジュールと入れ替えられたと決定するための手段と、
前記モデム構成データから前記第２のキャリア識別情報に関連する第２のモデム構成を選択するための手段と、
前記第２のキャリア識別情報に関連するキャリアを用いて動作するように前記通信インターフェースを構成するために前記第１のモデム構成の代替として前記第２のモデム構成をアクティブ化するための手段と、
をさらに備える、請求項２３に記載のアクセス端末。
【請求項２９】
前記第１のサブスクリプションモジュールは、前記アクセス端末が電源切断されたときに前記第２のサブスクリプションモジュールと入れ替えられ、前記第１のサブスクリプションモジュールが前記第２のサブスクリプションモジュールと入れ替えられたという前記決定は、前記アクセス端末が再び電源投入されたときに行われる、請求項２８に記載のアクセス端末。
【請求項３０】
前記第１のサブスクリプションモジュールは、前記アクセス端末が電源投入されたときにランタイム動作中に前記第２のサブスクリプションモジュールと入れ替えられ、前記第１のサブスクリプションモジュールが前記第２のサブスクリプションモジュールと入れ替えられたという前記決定は前記ランタイム動作中に行われる、請求項２８に記載のアクセス端末。
【請求項３１】
前記キャリア識別情報に関連するモデム構成が識別されないときにデフォルトモデム構成を選択するための手段をさらに備える、請求項２３に記載のアクセス端末。
【請求項３２】
プロセッサ可読記憶媒体であって、処理回路に、
サブスクリプションモジュールからのキャリア識別情報を決定させ、
記憶媒体に記憶されたモデム構成データから前記キャリア識別情報に関連するモデム構成を選択させ、
前記キャリア識別情報に関連する動作を可能にするように通信インターフェースを構成するために、前記選択されたモデム構成をアクティブ化させる、
ためのプログラミングを備える、プロセッサ可読記憶媒体。
【請求項３３】
前記第１のキャリア識別情報が、
前記サブスクリプションモジュールの集積回路カード識別子（ＩＣＣＩＤ）中に含まれる発行者識別番号（ＩＩＮ）、
前記サブスクリプションモジュールのパブリックランドモバイルネットワークＩＤ（ＰＬＭＮＩＤ）、前記ＰＬＭＮＩＤがモバイル国コード（ＭＣＣ）とモバイルネットワークコード（ＭＮＣ）とを含む、
前記サブスクリプションモジュールに関連する国際モバイル加入者識別情報（ＩＭＳＩ）、あるいは
前記ＩＩＮと、前記ＰＬＭＮＩＤと、前記ＩＭＳＩとのうちの２つまたはそれ以上の組合せ
を備える、請求項３２に記載のコンピュータ可読記憶媒体。
【請求項３４】
コンピュータに、前記キャリア識別情報に関連するモデム構成が配置されていないときにデフォルトモデム構成を選択することを行わせるためのプログラミングをさらに備える、請求項３２に記載のコンピュータ可読記憶媒体。
【請求項３５】
前記サブスクリプションモジュールからの前記キャリア識別情報の前記決定は、前記サブスクリプションモジュールが前のサブスクリプションモジュールと入れ替わっており、前記サブスクリプションモジュールからの前記キャリア識別情報が前記前のサブスクリプションモジュール中の前のキャリア識別情報とは異なる、という決定を備える、請求項３２に記載のコンピュータ可読記憶媒体。
【請求項３６】
前記選択されたモデム構成が、前のモデム構成の少なくとも一部分を前記選択されたモデム構成と入れ替えることによってアクティブ化され、ここにおいて、前記前のモデム構成が、前記前のキャリア識別情報に関連する動作を可能にするように前記通信インターフェースを構成するように適応された、請求項３５に記載のコンピュータ可読記憶媒体。
【請求項３７】
前記モデム構成が、キャリア固有ソフトウェアイメージ、キャリア固有ソフトウェア構成、またはキャリア固有ソフトウェアイメージとキャリア固有ソフトウェア構成の両方を備える、請求項３２に記載のコンピュータ可読記憶媒体。
【発明の詳細な説明】
【技術分野】
【０００１】
優先権主張
[0001]本特許出願は、本出願の譲受人に譲渡され、その全体が以下に完全に記載されるかのようにおよびすべての適用可能な目的のために、参照により本明細書に明確に組み込まれる、２０１３年３月２８日に出願された「Automatic Modem Configuration and Image Selection Devices, Systems, and Methods」と題する仮出願第６１／８０６，２３４号、および２０１３年８月２６日に出願された「Devices and Methods for Facilitating Automated Configuration of Communications Interfaces」と題する非仮出願第１３／９７５，４７５号の優先権を主張する。
【０００２】
[0002]以下で説明する技術は、一般にワイヤレス通信に関し、より詳細には、ワイヤレス通信デバイスにおける通信インターフェースの自動構成を可能にするための方法およびデバイスに関する。
【背景技術】
【０００３】
[0003]ワイヤレス通信システムは、音声、ビデオ、パケットデータ、メッセージング、ブロードキャストなど、様々なタイプの通信コンテンツを提供するために広く展開されている。これらのシステムは、ワイヤレス通信を可能にするように適応された様々なタイプのデバイスによってアクセスされ得、複数のデバイスが、利用可能なシステムリソース（たとえば、時間、周波数、および電力）を共有する。ワイヤレス通信システムの例としては、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムがある。
【０００４】
[0004]複数のタイプのワイヤレス通信デバイスが、ワイヤレス通信システムを利用するように適応される。ワイヤレス通信デバイスは一般にアクセス端末と呼ばれることがある。いくつかの事例では、アクセス端末の通信インターフェース（たとえば、セルラーワイヤレスモデムカード）が特定のセルラーサービスプロバイダを用いた動作のために構成される。たとえば、アクセス端末は、あるキャリアのネットワークにアクセスするために特定のセルラー技術、ならびにキャリア固有技術設定を採用するように適応され得る。
【０００５】
[0005]通信インターフェースのために必要とされる技術設定の多様性がアクセス端末の製造および販売を複雑にする。１つのソリューションは、特定のキャリアのために特別に構成されたアクセス端末を製造および販売することである。しかしながら、この手法は、アクセス端末間の唯一の差が、通信インターフェースに記憶された少量のセルラープロビジョニング情報であり得るにもかかわらず、アクセス端末のインベントリが各セルラーキャリアについてプロビジョニングされ、蓄えられなければならないので、インベントリの課題をもたらす。どのキャリアがより多くの消費者を引きつけることになるかを事前に知ることは可能でないので、小売業者は余分のインベントリを維持しなければならない。代替的に、消費者は、通信インターフェースをアクティブ化される（すなわち、プロビジョニングデータでプログラムされる）ようにするために物理的ロケーション（たとえば、セルラーキャリアの店舗）を訪問するように要求され得る。しかしながら、この余分のステップは消費者の不満を引き起こす可能性がある。両方の代替案とも、新しいキャリアに切り替えるために物理的ロケーション（たとえば、店舗）にアクセス端末を持ってくるように消費者に要求することになる。
【発明の概要】
【０００６】
[0006]以下で、説明する技術の基本的理解を与えるために、本開示のいくつかの態様を要約する。この概要は、本開示のすべての企図された機能の包括的な概観ではなく、本開示のすべての態様の主要または重要な要素を識別するものでも、本開示のいずれかまたはすべての態様の範囲を定めるものでもない。その唯一の目的は、後で提示するより詳細な説明の導入として、本開示の１つまたは複数の態様のいくつかの概念を要約の形で提示することである。
【０００７】
[0007]本開示の様々な例および実装形態は、アクセス端末においてアクティブなキャリアの識別情報に基づくアクセス端末通信インターフェースの自動構成を可能にする。
【０００８】
[0008]本開示の少なくとも１つの態様によれば、アクセス端末が、通信インターフェースと、モデム構成データを含む記憶媒体と、キャリア識別情報を含むサブスクリプションモジュールとを含み得る。処理回路が、通信インターフェースと、記憶媒体と、サブスクリプションモジュールとに結合され得る。処理回路は、サブスクリプションモジュールからのキャリア識別情報を決定するように適応され得る。処理回路は、モデム構成データから、キャリア識別情報に関連するモデム構成を選択することと、キャリア識別情報に関連するキャリアを用いて動作するように通信インターフェースを構成するためにそのモデム構成をアクティブ化することとを行うようにさらに適応され得る。
【０００９】
[0009]さらなる態様は、アクセス端末上で動作可能な方法、および／またはそのような方法を実施するための手段を含むアクセス端末を提供する。そのような方法の１つまたは複数の例は、サブスクリプションモジュールからのキャリア識別情報を決定することを含み得る。キャリア識別情報に関連するモデム構成が、記憶媒体に記憶されたモデム構成データから選択され得る。選択されたモデム構成は、次いで、第１のキャリア識別情報に関連するキャリアを用いて動作するような通信インターフェースの構成を可能にするためにアクティブ化され得る。
【００１０】
[0010]またさらなる態様は、処理回路によって実行可能なプログラミングを備えるプロセッサ可読記憶媒体を含む。１つまたは複数の例によれば、そのようなプログラミングは、処理回路に、サブスクリプションモジュールからのキャリア識別情報を決定することを行わせるために適応され得る。プログラミングは、処理回路に、記憶媒体に記憶されたモデム構成データからキャリア識別情報に関連するモデム構成を選択することと、キャリア識別情報に関連する動作を可能にするように通信インターフェースを構成するために、選択されたモデム構成をアクティブ化することとを行わせるためにさらに適応され得る。
【００１１】
[0011]本発明の特定の例示的な実施形態の以下の説明を添付の図と併せて検討すれば、当業者には、本発明の他の態様、機能、および実施形態が明らかになろう。本発明の機能が、以下のいくつかの実施形態および図に関連して説明され得るが、本発明のすべての実施形態は、本明細書で説明する有利な機能のうちの１つまたは複数を含むことができる。言い換えれば、１つまたは複数の実施形態が、いくつかの有利な機能を有するものとして説明され得るが、そのような機能のうちの１つまたは複数は、本明細書で説明する本発明の様々な実施形態に従っても使用され得る。同様に、例示的な実施形態が、以下ではデバイス、システム、または方法の実施形態として説明され得るが、そのような例示的な実施形態は、様々なデバイス、システム、および方法で実装され得ることを理解されたい。
【図面の簡単な説明】
【００１２】
【図１】[0012]本開示の１つまたは複数の態様または実施形態が適用でき得るネットワーク環境のブロック図。
【図２】[0013]いくつかの実施形態による、アクセス端末の選択構成要素を示すブロック図。
【図３】[0014]いくつかの実施形態による、図２のモデム構成データの選択構成要素を示すブロック図。
【図４】[0015]いくつかの実施形態による、アクセス端末など、アクセス端末上で動作可能な方法の少なくとも１つの例を示す流れ図。
【図５】[0016]いくつかの実施形態による、サブスクリプションモジュールからのキャリア識別情報を決定するために採用可能なアルゴリズムの少なくとも１つの例を示す流れ図。
【図６】[0017]いくつかの実施形態による、複数のモデム構成の中からキャリア識別情報に関連するモデム構成を選択するために採用可能なアルゴリズムの一例を示す流れ図。
【発明を実施するための形態】
【００１３】
[0018]添付の図面に関して以下に記載される説明は、様々な構成を説明するものであり、本明細書で説明する概念および機能が実施され得る構成のみを表すものではない。以下の説明は、様々な概念の完全な理解を与えるための具体的な詳細を含む。ただし、これらの概念はこれらの具体的な詳細なしに実施され得ることが当業者には明らかであろう。いくつかの事例では、説明する概念および機能を不明瞭にしないように、よく知られている回路、構造、技法および構成要素をブロック図の形式で示す。
【００１４】
[0019]本開示全体にわたって提示する様々な概念は、多種多様な電気通信システム、ネットワークアーキテクチャ、および通信規格にわたって実装され得る。本開示のいくつかの態様について、１つまたは複数の特定のプロトコルおよびシステムに関して以下で説明し、関係する用語が以下の説明の大部分において見つけられ得る。しかしながら、本開示の１つまたは複数の態様が、１つまたは複数の他のワイヤレス通信プロトコルおよびシステムにおいて採用され、それらの中に含まれ得ることを、当業者は認識されよう。
【００１５】
[0020]次に図１を参照すると、本開示の１つまたは複数の態様が適用でき得るネットワーク環境のブロック図が示されている。ワイヤレス通信システム１００は、概して、１つまたは複数の基地局１０２と、１つまたは複数のアクセス端末１０４と、１つまたは複数の基地局コントローラ（ＢＳＣ）１０６と、（たとえば、モバイル交換センター／ビジターロケーションレジスタ（ＭＳＣ／ＶＬＲ）を介して）公衆交換電話網（ＰＳＴＮ）へのおよび／または（たとえば、パケットデータ交換ノード（ＰＤＳＮ）を介して）ＩＰネットワークへのアクセスを与えるコアネットワーク１０８とを含む。システム１００は、複数のキャリア（異なる周波数の波形信号）上での動作をサポートし得る。マルチキャリア送信機は、複数のキャリア上で同時に被変調信号を送信することができる。各被変調信号は、ＣＤＭＡ信号、ＴＤＭＡ信号、ＯＦＤＭＡ信号、シングルキャリア周波数分割多元接続（ＳＣ−ＦＤＭＡ）信号などであり得る。各被変調信号は、異なるキャリア上で送られ得、制御情報（たとえば、パイロット信号）、オーバーヘッド情報、データなどを搬送し得る。
【００１６】
[0021]基地局１０２は、基地局アンテナを介してアクセス端末１０４とワイヤレス通信することができる。基地局１０２はそれぞれ、概して、（１つまたは複数のアクセス端末１０４のための）ワイヤレス通信システム１００へのワイヤレス接続性を可能にするように適応されたデバイスとして実装され得る。基地局１０２は、当業者によって、アクセスポイント、基地トランシーバ局（ＢＴＳ）、無線基地局、無線トランシーバ、トランシーバ機能、基本サービスセット（ＢＳＳ）、拡張サービスセット（ＥＳＳ）、ノードＢ、フェムトセル、ピコセル、および／または何らかの他の好適な用語で呼ばれることもある。
【００１７】
[0022]基地局１０２は、基地局コントローラ１０６の制御下でアクセス端末１０４と通信するように構成される。基地局１０２の各々は、それぞれの地理的エリアに通信カバレージを与えることができる。各基地局１０２のためのカバレージエリア１１０は、ここでは、セル１１０−ａ、１１０−ｂ、または１１０−ｃとして識別される。基地局１０２のためのカバレージエリア１１０は、（図示されていないが、カバレージエリアの一部分のみを構成する）セクタに分割され得る。様々な例では、システム１００は、異なるタイプの基地局１０２を含み得る。
【００１８】
[0023]１つまたは複数のアクセス端末１０４はカバレージエリア１１０全体にわたって分散され得る。各アクセス端末１０４は１つまたは複数の基地局１０２と通信し得る。アクセス端末１０４は、概して、ワイヤレス信号を介して１つまたは複数の他のデバイスと通信する１つまたは複数のデバイスを含み得る。そのようなアクセス端末１０４は、当業者によって、ユーザ機器（ＵＥ）、移動局（ＭＳ）、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、モバイル端末、ワイヤレス端末、リモート端末、ハンドセット、端末、ユーザエージェント、モバイルクライアント、クライアント、または何らかの他の好適な用語で呼ばれることもある。アクセス端末１０４は、モバイル端末および／または少なくとも実質的に固定の端末を含み得る。アクセス端末１０４の例としては、モバイルフォン、ページャ、ワイヤレスモデム、携帯情報端末、個人情報マネージャ（ＰＩＭ）、パーソナルメディアプレーヤ、パームトップコンピュータ、ラップトップコンピュータ、タブレットコンピュータ、テレビジョン、アプライアンス、電子リーダー、デジタルビデオレコーダ（ＤＶＲ）、マシンツーマシン（Ｍ２Ｍ）デバイス、自動車、エンターテインメントデバイス、ディスプレイボード、ディスプレイスクリーン、および／あるいは少なくとも部分的にワイヤレスまたはセルラーネットワークを介して通信する他の通信／コンピューティングデバイスがある。
【００１９】
[0024]ワイヤレス通信システム１００内でアクティブに通信するために、各アクセス端末１０４は、一般に、特定のキャリアのためにプロビジョニングされる。すなわち、各アクセス端末１０４のための通信インターフェースは、一般に、特定のキャリアを用いて動作するように構成される。ワイヤレスサービスプロバイダと呼ばれることもある、キャリアは、一般に、ワイヤレスボイスおよびデータ通信サービスについて加入者から支払いを受け取る、エンティティを指す。北米では、キャリアのいくつかの例としては、ＡＴ＆Ｔ、Ｒｏｇｅｒｓ、Ｓｐｒｉｎｔ、Ｔ−Ｍｏｂｉｌｅ、およびＶｅｒｉｚｏｎ  Ｗｉｒｅｌｅｓｓがある。
【００２０】
[0025]いくつかの事例では、ユーザが、キャリアによって展開される同じインフラストラクチャと基地局とを使用する別個のサービスを有し得る。たとえば、アクセス端末が自動車において採用されるとき、自動車サービスプロバイダは、たとえば、ボイス通信および発呼、ナビゲーション、セキュリティ、および診断など、車両内サブスクリプションサービスを与えることをオファーし得る。一般に、加入者は自動車サービスプロバイダに支払うが、自動車サービスプロバイダは、ローカルキャリアによって展開された同じインフラストラクチャと基地局とに依拠する。
【００２１】
[0026]しばしば、アクセス端末製造業者は、ユーザによる最小限の手動の対話を用いてまたはユーザによる手動の対話をまったく用いずに、特定のキャリアのためにワイヤレス通信システム１００に接続するためのすべての必要な回路と、ソフトウェアと、構成とを含むようにアクセス端末１０４を生産する。たとえば、製造業者は、「追加設定なしで（out-of-the-box）」特定のキャリアと接続するように適応された通信インターフェースを採用することを望み得る。
【００２２】
[0027]大抵のキャリアは、クローズドシステムを採用し、そこにおいて、それらのネットワークへのアクセスが、強固に制御されたプロビジョニングデータによって規制され、大抵のアクセス端末１０４は、それが通信システム１００内で動作することができる前に、特定のキャリアで使用するためにプログラムされなければならない。すなわち、アクセス端末１０４における通信インターフェースは、それが特定のセルラーシステムキャリアを用いて通信システム１００において動作することができる前に、一般に、そのキャリアに固有である特有のデータでプロビジョニング（または構成）されなければならない。
【００２３】
[0028]一般にアクセス端末１０４の通信インターフェースによって実装されるプロビジョニング情報、本明細書ではモデム構成と呼ばれることもある、は、様々なデータを含む。このデータは、ネットワークにアクセスするために通信インターフェースによって採用される情報と、通信インターフェースによってネットワークに送信される識別子と、通信インターフェースが、どこに配置されても、セルラーネットワークに接続することを可能にするための情報とを含むことができる。いくつかのシナリオでは、通信インターフェースは、特定のキャリアのネットワークに接続するための周波数とアクセスコードとを通知され得る。通信インターフェースはまた、キャリアが、ネットワークにアクセスすることを許可されたものとしてアクセス端末１０４を認識するように、キャリアのネットワークに送信されることになる識別コードを用いてプログラムされ得る。
【００２４】
[0029]サブスクリプション関係のデータに加えて、プロビジョニング情報（モデム構成）も、特定の変数を特定の値に設定することによってアクセス端末１０４上の機能とアプリケーションとをアクティブ化する機能フラグおよび定義を含み得る。たとえば、１つのキャリアが、３Ｇまたは４Ｇ規格（または他の規格）における特定の随意の機能をサポートすることを選択し得、プロビジョニングにおいて関連するフラグとデータ値とを設定することによってそうする。その随意の機能をサポートしないことを選択する第２のキャリアが、この機能に関連するフラグとデータとの異なるセットをそれのプロビジョニングデータ中に含めるであろう。さらに、各キャリアは、それらのネットワーク上に展開されているワイヤレス規格の異なるリビジョンを採用し得る。
【００２５】
[0030]プロビジョニング情報は、一般に、通信インターフェースによってアクセス可能な不揮発性メモリに記憶される。これは、必須のプロビジョニング情報が、１つまたは複数のネットワークに接続するために通信インターフェースにとって利用可能であることを保証する。したがって、プロビジョニング情報は、様々なＮＶ（または構成）アイテムを含んでいると言われることがある。各ＮＶアイテムはデータの値またはアレイを含み得る。各ＮＶアイテムは機能または機能セットを実施するためにキャリアによって利用され得る。
【００２６】
[0031]キャリアの固有のプロビジョニング情報に加えて、セルラーネットワークは、たとえば、符号分割多元接続（ＣＤＭＡ）およびユニバーサルモバイルテレコミュニケーションズサービス（ＵＭＴＳ：Universal Mobile Telecommunications Service）技術を含む、異なる複数の技術を採用する。アクセス端末１０４の単一の通信インターフェースは、それがＣＤＭＡ技術ネットワークまたはＵＭＴＳ技術ネットワークのいずれかに接続することを可能にする回路を用いて設計され得るが、これらの異なる技術は、同じキャリアが両方のネットワーク技術をサポートしているときでも、異なるモデム構成を採用し得る。
【００２７】
[0032]適切なモデム構成がない場合、アクセス端末１０４は、キャリアのネットワークにアクセスすることができず、したがって「追加設定なしで」セルラーネットワークにアクセスすることが可能でないことがある。さらに、アクセス端末１０４が特定のキャリアのためにプロビジョニングされると、異なるキャリアとともに使用するためにアクセス端末１０４を再構成することが比較的困難であり得る。
【００２８】
[0033]たとえば、モバイルフォン、ラップトップコンピュータ、タブレットコンピュータ、自動車、または他のそのようなアクセス端末１０４が特定のキャリアとともに使用するためにプロビジョニングされた場合、キャリアを変更することを望むユーザは、一般に、デバイス自体を入れ替えるか、キャリアプロビジョニングを手動で変更するか、または、デバイスが再プログラムされ得るサービスプロバイダのロケーションにデバイスを持って行かなければならない。自動車などのいくつかのアクセス端末１０４は、一般に、モバイルフォンなどの他のアクセス端末ほどは頻繁に入れ替えられない。自動車の例では、自動車サービスプロバイダがそれの加入者のためのキャリアを切り替えることを望むとき、ハードウェアはしばしば自動車自体に組み込まれているので、キャリアを切り替えられるようにするためのハードウェアの交換することは実際的でない。したがって、キャリアを切り替えるために、自動車は一般にディーラーまたは自動車店に持ってこられ、そこで、自動車は、新しいキャリアのために通信インターフェースを再構成するために（たとえば、ＵＳＢまたは他のハードワイヤードインターフェースをプラグインすることによって）サービスされ得る。
【００２９】
[0034]本開示の少なくとも１つの態様によれば、アクセス端末は、ユーザによって望まれる特定のキャリアを用いて動作するために異なるモデム構成に切り替えるように適応される。すなわち、本開示の態様は、複数のモデム構成からの１つのモデム構成の選択がユーザ対話の必要なしに自動的に達成され得る、マルチモードまたはマルチキャリア能力を有する通信インターフェースをもつアクセス端末を提供する。様々な例では、アクセス端末は、アクセス端末に関連するキャリア識別子に基づいて特定のモデム構成を選択するように適応される。
【００３０】
[0035]図２を参照すると、本開示の少なくとも１つの例による、アクセス端末２００の選択構成要素を示すブロック図が示されている。アクセス端末２００は、サブスクリプションモジュール２０４と、通信インターフェース２０６と、記憶媒体２０８とに結合された、またはそれらと電気通信するように配置された処理回路２０２を含む。
【００３１】
[0036]処理回路２０２は、データを取得し、処理しおよび／または送り、データアクセスおよび記憶を制御し、コマンドを発行し、他の所望の動作を制御するように構成される。処理回路２０２は、少なくとも１つの例において適切な媒体によって与えられた所望のプログラミングを実装するように適応された回路を含み得る。たとえば、処理回路２０２は、１つまたは複数のプロセッサ、１つまたは複数のコントローラ、および／または実行可能プログラミングを実行するように構成された他の構造として実装され得る。処理回路２０２は、アクセス端末２００の異なる回路またはモジュール内に配置された２つ以上の部分を含み得る。たとえば、処理回路２０２の一部分（たとえば、第１のプロセッサ）が通信インターフェース内に配置され得、別の部分（たとえば、第２のプロセッサ）がアクセス端末２００の別の部分中に配置され得る。簡単のために、処理回路２０２の様々な部分が本開示では単一のブロックとして示されている。
【００３２】
[0037]処理回路２０２の例としては、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理構成要素、個別ゲートまたはトランジスタ論理、個別ハードウェア構成要素、あるいは本明細書で説明する機能を実施するように設計されたそれらの任意の組合せがあり得る。汎用プロセッサは、マイクロプロセッサ、ならびに任意の従来のプロセッサ、コントローラ、マイクロコントローラ、または状態機械を含み得る。処理回路２０２はまた、ＤＳＰとマイクロプロセッサとの組合せ、いくつかのマイクロプロセッサ、ＤＳＰコアと連携する１つまたは複数のマイクロプロセッサ、ＡＳＩＣとマイクロプロセッサ、あるいは任意の他の数の様々な構成など、コンピューティング構成要素の組合せとして実装され得る。処理回路２０２のこれらの例は説明のためのものであり、本開示の範囲内の他の好適な構成も企図される。
【００３３】
[0038]処理回路２０２は、記憶媒体２０８に記憶され得るプログラミングの実行を含む処理のために適応される。本明細書で使用する「プログラミング」という用語は、ソフトウェア、ファームウェア、ミドルウェア、マイクロコード、ハードウェア記述言語などの名称にかかわらず、限定はしないが、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを含むと広く解釈されたい。
【００３４】
[0039]いくつかの事例では、処理回路２０２はモデム構成器２１０を含み得る。モデム構成器２１０は、キャリア識別情報を決定し、決定されたキャリアとのワイヤレス接続性を可能にするために通信インターフェース２０６のための適切なモデム構成を選択し、実装するように適応された、回路および／またはプログラミング（たとえば、記憶媒体２０８に記憶されたプログラミング）を含み得る。
【００３５】
[0040]サブスクリプションモジュール２０４は、キャリア識別子（ＩＤ）２１２を含む、様々なサブスクリプション詳細を含むリムーバブルまたは固定（たとえば、埋込み）モジュールを含み得る。サブスクリプションモジュール２０４は、加入者識別モジュール（ＳＩＭ：Subscriber Identity Module）、ユーザ識別モジュール（ＵＩＭ：User Identity Module、Ｒ−ＵＩＭ）、ユニバーサル集積回路カード（ＵＩＣＣ：Universal Integrated Circuit Card）、ＣＤＭＡ加入者識別モジュール（ＣＳＩＭ：CDMA Subscriber Identity Module）、ユニバーサル加入者識別モジュール（ＵＳＩＭ：Universal Subscriber Identity Module））、またはキャリアＩＤ２１２を含む他の同様の識別モジュールのうちの１つまたは複数として実装され得る。
【００３６】
[0041]キャリアＩＤ２１２は、概して、サブスクリプションモジュール２０４に関連する特定のキャリアの識別情報を示すように適応される。これは、一般に、アクセス端末２００がそれとのワイヤレス通信のために使用するように適応されることになる、キャリアである。様々な例によれば、キャリアＩＤ２１２は、発行者識別番号（ＩＩＮ：Issuer Identification Number）、パブリックランドモバイルネットワーク（ＰＬＭＮ：Public Land Mobile Network）ＩＤ、および／あるいは国際モバイル加入者識別情報（ＩＭＳＩ：International Mobile Subscriber Identity）、ならびに本開示の他の例によるサブスクリプションモジュール２０４中の追加または代替の情報であり得る。
【００３７】
[0042]少なくとも１つの例では、サブスクリプションモジュール２０４はユーザ識別モジュール（ＵＩＭ、Ｒ−ＵＩＭ）であり得る。これは、３ＧＰＰ２  ＣＤＭＡアクセス端末のために開発され、さらに３ＧＰＰ  ＧＳＭ（登録商標）ネットワークとのデュアル適合性のための能力を含むことができる、従来のモジュールである。情報の中でも、ＵＩＭは、集積回路カード識別子（ＩＣＣＩＤ：Integrated Circuit Card Identifier）と呼ばれる一意の通し番号を含む。ＩＣＣＩＤの構造は国際電気通信連合（ＩＴＵ）によって規格化されている。
【００３８】
[0043]その規格によれば、ＩＣＣＩＤの最初の４〜７桁が発行者識別番号（ＩＩＮ）の形式のキャリアＩＤ２１２を含んでいる。ＩＣＣＩＤは、２桁の主要産業識別子（電気通信の場合、常に値８９を取る）と、ワイヤレスサービスプロバイダがサービスを与える国を識別する１〜３桁の国コードと、１〜４桁のＩＩＮとを含む。ＩＴＵは、ｈｔｔｐ：／／ｗｗｗ．ｉｔｕ．ｉｎｔ／ｐｕｂ／Ｔ−ＳＰ−ＯＢ．９７１−２０１１（ＩＴＵ  Ｏｐｅｒａｔｉｏｎａｌ  Ｂｕｌｌｅｔｉｎ  Ｎｏ．９７１）において維持される、登録されたＩＩＮのリストを維持している。一例として、キャリアＸによって使用されるＩＣＣＩＤは８９１１２３００００００１２３４５６７８であり得る。これは、ＩＴＵによってキャリアＸに割り当てられた産業識別子（８９）と、国コード（１）と、ＩＩＮ（１２３）とを含む。この場合、ＩＩＮは単独で、キャリアＸをキャリアとして識別するのに十分であろう。
【００３９】
[0044]いくつかの例では、キャリアＩＤ２１２はパブリックランドモバイルネットワーク（ＰＬＭＮ）ＩＤを含み得る。ＰＬＭＮ  ＩＤは、キャリアを識別するために使用され得るモバイル国コード（ＭＣＣ：mobile country code）とモバイルネットワークコード（ＭＮＣ：mobile network code）とを含む。
【００４０】
[0045]いくつかの例では、キャリアＩＤ２１２は、サブスクリプションモジュール２０４に関連する国際モバイル加入者識別情報（ＩＭＳＩ）を含むことができる。たとえば、各キャリアは、しばしば、加入している顧客に割り当てるべきＩＭＳＩのブロックまたは範囲として与えられる。したがって、特定の範囲内に入るＩＭＳＩが、特定のキャリアに関連するものとして識別され得る。例として、キャリアＸはＩＭＳＩ１２３１２３００００９５０００〜１２３１２３００００９８９９９を与えられ得、キャリアＹはＩＭＳＩ１２３１２３００００９９０００〜１２３１２３０００１２６４９９を与えられ得る。したがって、ＩＭＳＩが、キャリアＸに関連する範囲内に入る場合、キャリアＩＤ２１２として採用されるＩＭＳＩは、そのキャリアがキャリアＸであることを示す。一方、ＩＭＳＩが、キャリアＹに関連する範囲内に入る場合、キャリアＩＤ２１２として採用されるＩＭＳＩは、そのキャリアがキャリアＹであることを示す。
【００４１】
[0046]通信インターフェース２０６は、アクセス端末２００のワイヤレス通信を可能にするように構成される。たとえば、通信インターフェース２０６は、特定のキャリアのために双方向に情報の通信を可能にするように適応された回路および／またはプログラミングを含み得る。通信インターフェース２０６は、１つまたは複数のアンテナ２１４に結合され、ワイヤレス（ＲＦ）トランシーバ回路２１６とモデム回路２１８とを含み得る。ＲＦトランシーバ回路２１６は、キャリアネットワークに／から無線周波数信号を送信および受信するための回路を含む。モデム回路２１８は、送信のためにデジタルデータを無線周波数信号に符号化し、受信された無線周波数信号を、処理回路２０２の少なくとも一部分によって解釈され得るデジタルデータに変換するように構成され得る。
【００４２】
[0047]本開示の少なくとも１つの態様によれば、通信インターフェース２０６は、様々な技術のいずれかのために、様々なキャリアのいずれかの上で動作するように構成可能であり得る。たとえば、アクセス端末２００は、信号生成器およびモデム回路に加えて複数のプロセッサをもつ処理回路２０２を含む、ＱｕａｌｃｏｍｍのＧＯＢＩなどのチップセットまたはモジュールを採用し得る。そのような構成は、通信インターフェース２０６がソフトウェア（たとえば、ソフトウェア定義無線）によって定義可能であることを可能にする。そのようなソフトウェア定義無線ベースの通信インターフェース２０６は、プログラマブルデジタル信号プロセッサ（ＤＳＰ）として実装される処理回路２０２の一部分内でデータ信号を生成し、符号化／復号し、変調／復調する。プログラマブルＤＳＰは、通信信号が、何らかの通信技術（たとえば、ＧＳＭ／ＵＭＴＳ、ＣＤＭＡ）の波形、周波数およびデータパケット要件に準拠するようにソフトウェアによって定義されることを可能にする。異なる特性をもつ信号を生成するためにＤＳＰを再プログラムすることによって、通信インターフェース２０６は、任意のキャリアの固有の通信ネットワークに適合する通信信号を生成するように作られ得る。したがって、ソフトウェア定義無線ベースの通信インターフェース２０６を装備したアクセス端末２００は、必要とされる通信技術にかかわらず、通信サポートのために任意のキャリアに加入し得る。
【００４３】
[0048]記憶媒体２０８は、プロセッサ実行可能コードまたは命令（たとえば、ソフトウェア、ファームウェア）などのプログラミング、電子データ、データベース、あるいは他のデジタル情報を記憶するための１つまたは複数のコンピュータ可読、機械可読、および／またはプロセッサ可読デバイスを表し得る。記憶媒体２０８はまた、プログラミングを実行するときに処理回路２０２によって操作され得るデータを記憶するために使用され得る。記憶媒体２０８は、ポータブルおよび／または固定ストレージデバイス、光ストレージデバイス、ならびに／あるいはプログラミングを記憶し、含有し、および／または搬送することが可能な様々な他の媒体を含む、汎用または専用プロセッサによってアクセスされ得る任意の利用可能な媒体であり得る。限定ではなく例として、記憶媒体２０８は、磁気ストレージデバイス（たとえば、ハードディスク、フロッピー（登録商標）ディスク、磁気ストリップ）、光記憶媒体（たとえば、コンパクトディスク（ＣＤ）、デジタル多用途ディスク（ＤＶＤ））、スマートカード、フラッシュメモリデバイス（たとえば、カード、スティック、キードライブ）、ランダムアクセスメモリ（ＲＡＭ）、読取り専用メモリ（ＲＯＭ）、プログラマブルＲＯＭ（ＰＲＯＭ）、消去可能ＰＲＯＭ（ＥＰＲＯＭ）、電気的消去可能ＰＲＯＭ（ＥＥＰＲＯＭ（登録商標））、レジスタ、リムーバブルディスク、および／またはプログラミングを記憶するための他の媒体などのコンピュータ可読、機械可読、および／またはプロセッサ可読記憶媒体、ならびにそれらの任意の組合せを含み得る。
【００４４】
[0049]記憶媒体２０８は、処理回路２０２が記憶媒体２０８から情報を読み取り、記憶媒体２０８に情報を書き込むことができるように処理回路２０２に結合され得る。すなわち、記憶媒体２０８は、記憶媒体２０８が処理回路２０２によって少なくともアクセス可能であるように処理回路２０２に結合され得、記憶媒体２０８が処理回路２０２と一体である例、および／または記憶媒体２０８が処理回路２０２とは別個である（たとえば、アクセス端末２００に常駐する、アクセス端末２００の外部にある、複数のエンティティ上に分散される）例を含む。記憶媒体２０８が単一のブロックとして示されているが、記憶媒体２０８は、異なる物理的ロケーション中に配置されたおよび／またはさらには処理回路２０２の異なる部分に結合された、複数の別個の記憶媒体を含み得ることを理解されたい。たとえば、記憶媒体２０８の不揮発性記憶媒体が通信インターフェースに関連し得、１つまたは複数の他の記憶媒体が、他の構成要素に関連し、および／または他の別個のロケーション中に配置され得る。
【００４５】
[0050]記憶媒体２０８によって記憶されたプログラミングは、処理回路２０２によって実行されたとき、処理回路２０２に、本明細書で説明する様々な機能および／またはプロセスステップのうちの１つまたは複数を実施することを行わせる。たとえば、記憶媒体２０８は、キャリアＩＤ２１２に関連する特定の構成に従って動作するように通信インターフェース２０６を構成するように適応されたモデム構成動作２２０を含み得る。たとえば、モデム構成動作２２０は、本明細書で説明するように、通信インターフェース２０６（たとえば、モデム回路２１８）に、識別されたキャリア上で動作することを行わせるために、処理回路２０２に、キャリアＩＤ２１２を識別することと、モデム構成データ２２２から特定のモデム構成を選択することとを行わせ得る。したがって、本開示の１つまたは複数の態様によれば、処理回路２０２は、本明細書で説明するアクセス端末のいずれかまたはすべてについてのプロセス、機能、ステップおよび／またはルーチンのいずれかまたはすべてを（記憶媒体２０８と連携して）実施するように適応される。本明細書で使用する、処理回路２０２に関する「適応される」という用語は、本明細書で説明する様々な機能に従って、処理回路２０２が、特定のプロセス、機能、ステップおよび／またはルーチンを実施するように（記憶媒体２０８と連携して）構成、採用、実装、および／またはプログラムされることのうちの１つまたは複数を指すことがある。
【００４６】
[0051]図２に示されているように、記憶媒体２０８はモデム構成データ２２２をさらに含む。モデム構成データ２２２は、特定のキャリアを用いた動作のために通信インターフェース２０６（たとえば、モデム回路２１８）を構成するように適応されたデータを含む。本開示の一態様によれば、モデム構成は、異なるキャリアネットワークとの通信を有効化するために、処理回路２０２がモデム構成動作２２０を実行することによって、モデム構成データ２２２から自動的にアクティブ化され得るモデム構成データ２２２を生成し、モデム構成データ２２２からの適切なモデム構成をアクティブ化することの様々な例が、それの開示の全体が本明細書で完全に記載されるかのように参照により本明細書に組み込まれる、米国特許出願第１２／４３１，０５０号（ＵＳＰＮ  ８，４５３，１４０）および第１２／７８７，９５５号（ＵＳ  ＰＧＰＵＢ  ２０１１／０２９６３９９−Ａ１）に記載されている。
【００４７】
[0052]図３は、少なくとも１つの例による、モデム構成データ２２２の選択構成要素を示すブロック図である。概して、モデム構成データ２２２は、１つまたは複数のハードウェア構成３０２、１つまたは複数のソフトウェアイメージ３０４、および／または１つまたは複数のソフトウェア構成３０６を含み得る。
【００４８】
[0053]ハードウェア構成３０２は、概して、特定のハードウェア実装形態のために通信インターフェース２０６を構成するように適応され得る。モデム構成データ２２２が複数のハードウェア構成３０２を含む例では、ハードウェア構成は、アクセス端末２００が、アクセス端末２００によって実装される特定のハードウェアに従って特定のハードウェア構成３０２をアクティブ化することを可能にするために、アクセス端末２００にとって利用可能であり得る。いくつかの事例では、ハードウェア構成３０２は、必要に応じて、ハードウェア構成３０２のうちの１つまたは複数を更新することによっておよび／または追加のハードウェア構成３０２をロードすることによって変更され得る。いくつかの例では、様々なハードウェア構成３０２がモデムプラットフォームハードウェア構成データ３０８から取得され得る。モデムプラットフォームハードウェア構成データ３０８は、記憶媒体２０８の１つまたは複数のロケーションに記憶されたおよび／または別のソースからアクセス端末２００上にロードされた、情報を含み得る。一例では、モデムプラットフォームハードウェア構成データ３０８は記憶媒体２０８に記憶された様々な構成データのデータベースを含み得る。様々なハードウェア構成３０２を構成および／または生成するためにデータベースが使用され得る。モデムプラットフォームハードウェア構成データ３０８は、それぞれのハードウェア実装形態のために実装され得る、ピンマッピング、ポートマッピング、電力増幅器利得制御設定、アンテナ同調などの構成データを含み得る。
【００４９】
[0054]ソフトウェアイメージ３０４は、概して、特定のキャリアを用いた動作のために通信インターフェース２０６を構成するように適応され得る。モデム構成データ２２２が複数のソフトウェアイメージ３０４を含む例では、特定のソフトウェアイメージ３０４が、特定のキャリアを用いた動作を可能にするために処理回路２０２によってアクティブ化され得る。したがって、様々なソフトウェアイメージ３０４はキャリア固有ソフトウェアイメージ３０４と呼ばれることもある。複数のキャリア固有ソフトウェアイメージ３０４はキャリア固有ソフトウェアイメージデータ３１０から取得され得る。キャリア固有ソフトウェアイメージデータ３１０は、記憶媒体２０８の１つまたは複数のロケーションに記憶されたおよび／または記憶媒体２０８にロード可能な、情報を含み得る。
【００５０】
[0055]ソフトウェア構成３０６は、概して、特定のキャリアを用いた動作のために通信インターフェース２０６を構成するように適応され得る。モデム構成データ２２２が複数のソフトウェア構成３０６を含む例では、特定のソフトウェア構成３０６が、特定のキャリアを用いた動作を可能にするために処理回路２０２によってアクティブ化され得る。したがって、様々なソフトウェア構成３０６はキャリア固有ソフトウェア構成３０６と呼ばれることもある。複数のキャリア固有ソフトウェア構成３０６はキャリア固有ソフトウェア構成データ３１２から取得され得る。キャリア固有ソフトウェア構成データ３１２は、記憶媒体２０８の１つまたは複数のロケーションに記憶されたおよび／または記憶媒体２０８にロード可能な、情報を含み得る。
【００５１】
[0056]単に例として、キャリア固有ソフトウェアイメージ３０４および／またはキャリア固有ソフトウェア構成３０６は、通信インターフェース２０６が特定のキャリアのネットワークに接続することを可能にするためのアクセスコードおよび周波数、同様に、キャリアがアクセス端末２００をネットワークにアクセスすることを許可されたものとして認識するように、キャリアのネットワークに送信される識別コードなど、キャリア固有プロビジョニング情報を含み得る。さらに、各キャリア固有ソフトウェアイメージ３０４および／またはキャリア固有ソフトウェア構成３０６は、通信インターフェース２０６上の機能とアプリケーションとをアクティブ化する機能フラグおよび定義を含み得る。キャリア固有ソフトウェアイメージ３０４は、キャリア固有ソフトウェア構成３０６に加えて、関連するキャリアによって必要とされ得るキャリア固有機能およびコードをも含み得る。いくつかの事例では、キャリア固有ソフトウェア構成３０６とは別個であるキャリア固有ソフトウェアイメージ３０４は、型式承認（Type Approval）または証明がまず第１にほんのいくつかのキャリアを用いて当初は行われ得るので、有益であり得る。より多くのキャリアが有効化されるにつれて、以前のソフトウェアイメージ３０４が型式承認の後に凍結され得るので、各キャリア固有機能について更新されたコードとともに追加のソフトウェアイメージ３０４をサポートする必要があり得る。追加のおよび／または異なる情報も各キャリア固有ソフトウェアイメージ３０４および／またはキャリア固有ソフトウェア構成３０６に含まれ得る。
【００５２】
[0057]本開示の態様によれば、アクセス端末２００は、キャリア識別情報２１２に応答してモデム構成データ２２２から適切なモデム構成を選択するように適応される。適切なモデム構成は、さらに、通信インターフェース２０６（たとえば、モデム回路２１８）が、キャリア識別情報２１２に関連するキャリアを用いて動作することを可能にするために、通信インターフェース２０６とともにアクティブ化され得る。モデム構成、キャリア固有モデム構成とも呼ばれ得る、は、特定のキャリア識別情報２１２とともに使用するために適応されたモデム構成データ２２２の特定の組合せを含む。たとえば、モデム構成は、キャリア識別情報２１２に関連するキャリアを用いた動作のために通信インターフェース２０６とともにアクティブ化され得る、モデム構成データ２２２の特定のハードウェア構成３０２、ソフトウェアイメージ３０４、および／またはソフトウェア構成３０６を含み得る。したがって、特定のキャリア識別情報２１２が確認されたとき、識別されたキャリア識別情報２１２に関連するモデム構成は、通信インターフェース２０６を構成するためのモデム構成データ２２２として選択され、アクティブ化され得る。その結果、通信インターフェース２０６（たとえば、モデム回路２１８）は、識別されたキャリアのネットワーク上で動作するように適切に構成され得る。
【００５３】
[0058]図４は、アクセス端末２００など、アクセス端末上で動作可能な方法の少なくとも１つの例を示す流れ図である。図２および図４を参照すると、アクセス端末２００が、ステップ４０２においてサブスクリプションモジュールからのキャリア識別情報を決定する。たとえば、モデム構成動作２２０を実行する処理回路２０２（たとえば、モデム構成器２１０）は、サブスクリプションモジュール２０４からのキャリア識別情報２１２を決定し得る。
【００５４】
[0059]図５は、サブスクリプションモジュール２０４からのキャリア識別情報２１２を決定するためにモデム構成動作２２０を実行するときに処理回路２０２において採用されるアルゴリズムの少なくとも１つの例を示す流れ図である。図５に示されているように、および図２に示された構成要素を参照すると、少なくとも２つのシナリオにより、処理回路２０２がサブスクリプションモジュール２０４からのキャリア識別情報２１２を決定し得る。５０２において、アクセス端末２００が、ある時間期間の間電源切断された後に電源投入されたとき、アクセス端末２００は、新しいまたは異なるキャリアＩＤ２１２があるかどうかを決定するように適応される。新しいまたは異なるキャリアＩＤ２１２は、たとえば、サブスクリプションモジュール２０４がアクセス端末２００中に挿入されたときに、サブスクリプションモジュール２０４が、アクセス端末２００とともに使用されるべき第１のサブスクリプションモジュール２０４であるかどうかにかかわらず、あるいは、それが、前のまたは別のサブスクリプションモジュールと入れ替わるサブスクリプションモジュール２０４であるかどうかにかかわらず、発生し得る。
【００５５】
[0060]一方、５０４に示されているように、処理回路２０２は、アクセス端末２００がランタイム動作をアクティブに実施している間、サブスクリプションモジュール２０４に関連するプロファイルの変更を検出し得る。たとえば、ユーザが、最初にアクセス端末２００を電源切断することなしに、第１のサブスクリプションモジュール２０４を取り外し、第２の、異なるサブスクリプションモジュール２０４を挿入し得る。他の例では、埋込みサブスクリプションモジュール２０４のためのプロファイルが、アクセス端末２００が電源投入される間、エアインターフェースを介してまたはワイヤード接続を介してなど、再プログラムされ得、通信インターフェース２０６のリセットを含むサブスクリプションモジュールリフレッシュがトリガされ得る。
【００５６】
[0061]いずれの場合も、アクセス端末２００が、電源投入されたのか、またはサブスクリプションモジュールプロファイルの変更を検出したのかにかかわらず、処理回路２０２は、ステップ５０８として、本開示の自動選択機能が特定のアクセス端末２００のために有効化されるかどうかを決定し得る。本開示の一態様によれば、本明細書で説明する自動選択機能は必要に応じて有効化または無効化され得る。したがって、処理回路２０２は、そのような機能が有効化されるかどうかに関する決定を行い得る。その機能が有効化されない場合、処理回路２０２は、図５に示された本アルゴリズムを終了し得、また、図４の方法を終了することができる。
【００５７】
[0062]一方、自動選択機能が５０８において有効化される場合、処理回路２０２は、ステップ５１０において、サブスクリプションモジュール２０４からのキャリアＩＤ２１２を識別する。いくつかの例では、キャリアＩＤ２１２はサブスクリプションモジュール２０４中に含まれる発行者識別番号（ＩＩＮ）を含み得る。そのような事例では、処理回路２０２は、ＩＩＮをそこから取得するために集積回路カード識別子（ＩＣＣＩＤ）情報にアクセスし得る。処理回路２０２は、さらに、たとえば、ＩＩＮおよびそれらの関連するキャリアのリスティングから、ＩＩＮに関連するキャリアの識別情報を識別し得る。
【００５８】
[0063]いくつかの例では、キャリアＩＤ２１２は、パブリックランドモバイルネットワークＩＤ（ＰＬＭＮＩＤ：Public Land Mobile Network ID）からのモバイル国コード（ＭＣＣ）とモバイルネットワークコード（ＭＮＣ）とを含み得る。そのような事例では、処理回路２０２は、ＭＣＣとＭＮＣとをそこから取得するためにサブスクリプションモジュール２０４のＰＬＭＮＩＤにアクセスし得る。処理回路２０２は、さらに、ＭＣＣおよびＭＮＣ値に関連するキャリアを識別し得る。
【００５９】
[0064]いくつかの例では、キャリアＩＤ２１２は国際モバイル加入者識別情報（ＩＭＳＩ）を含み得る。そのような例では、処理回路２０２は、サブスクリプションモジュール２０４のＩＭＳＩならびに様々なキャリア識別情報に関連するＩＭＳＩの範囲にアクセスし得る。処理回路２０２は、次いで、どのキャリアが、サブスクリプションモジュール２０４のＩＭＳＩがそれの中に配置されたＩＭＳＩの範囲に関連するかを識別することができる。
【００６０】
[0065]キャリアＩＤ２１２が識別されると、処理回路２０２は、５１２において、キャリアＩＤ２１２がステップ５１２において新しいかまたは変化したかどうかを決定し得る。キャリアＩＤ２１２は、アクセス端末２００が、採用されたアクティブサブスクリプションモジュール２０４をまだ有していなかった場合、新しいと見なされ得る。キャリアＩＤ２１２は、アクセス端末２００が前のキャリアＩＤ２１２を採用し、現在のキャリアＩＤ２１２が前のキャリアＩＤ２１２とは異なる場合、変更されたキャリアＩＤ２１２であると見なされ得る。
【００６１】
[0066]キャリアＩＤ２１２の変化がない場合は、サブスクリプションモジュール２０４のプロファイルが変化した場合でも、処理回路２０２は、単に図５のアルゴリズムを終了し、ならびに図４の方法を終了し得る。しかしながら、処理回路２０２が、キャリアＩＤ２１２が新しいかまたは変化したことを決定した場合、処理回路２０２は図４中のステップ４０４に進むことができる。
【００６２】
[0067]再び図２および図４を参照すると、アクセス端末２００は、ステップ４０４において、アクセス端末２００において記憶されたモデム構成データからキャリア識別情報に関連するモデム構成を選択する。たとえば、モデム構成動作２２０を実行する処理回路２０２（たとえば、モデム構成器２１０）は、キャリアＩＤ２１２に関連するモデム構成を選択し得る。特に、モデム構成動作２２０を実行する処理回路２０２（たとえば、モデム構成器２１０）は、キャリアＩＤ２１２に関連するソフトウェアイメージ３０４および／またはソフトウェア構成３０６（図３参照）を選択し得る。
【００６３】
[0068]図６は、図４のステップ４０４を実施するためにモデム構成動作２２０を実行する処理回路２０２において採用可能なアルゴリズムの一例を示す流れ図である。最初に、ステップ６０２において、処理回路２０２は、アクセス端末２００にとって利用可能な様々なモデム構成があるかどうかを決定し得る。たとえば、処理回路２０２は、記憶媒体２０８に記憶されたまたはさもなければ処理回路２０２にとってアクセス可能なモデム構成データ２２２に含まれるキャリア固有ソフトウェアイメージ３０４および／またはキャリア固有ソフトウェア構成３０６（図３参照）があるかどうかを決定し得る。探索されるために利用可能な異なるモデム構成（たとえば、異なるソフトウェアイメージ３０４および／またはソフトウェア構成３０６）がない場合、処理回路２０２は、本アルゴリズム、ならびに図４の方法を終了し得る。
【００６４】
[0069]一方、様々なモデム構成（ソフトウェアイメージ３０４および／またはソフトウェア構成３０６）が処理回路２０２にとって利用可能である場合、処理回路２０２は、ステップ６０４において第１のモデム構成を読み取ることによって開始し得る。いくつかの例では、利用可能なモデム構成のリスティングが、各キャリアＩＤを特定のモデム構成に（または少なくとも特定のソフトウェアイメージ３０４および／またはソフトウェア構成３０６に）対応させるテーブルとして記憶媒体２０８に記憶され得る。テーブルは、特定のモデム構成のために採用されるべきであるソフトウェアイメージ３０４および／またはソフトウェア構成３０６のリスティングを含み得、ならびに／あるいは、処理回路２０２が特定のソフトウェアイメージ３０４および／またはソフトウェア構成３０６を見つけることができる、記憶媒体２０８中のロケーションを示し得る。他の例では、処理回路２０２は、モデム構成ファイルが、どの（１つまたは複数の）キャリアＩＤに関連することが示されるかを識別するために、（図３中の各ソフトウェアイメージ３０４および／またはソフトウェア構成３０６などの）各個々のモデム構成ファイルを検査し得る。
【００６５】
[0070]モデム構成（たとえば、モデム構成テーブルに記載されているもの、またはモデム構成ファイル自体）を読み取った後、処理回路２０２は、ステップ６０６において、モデム構成がサブスクリプションモジュール２０４の現在のキャリアＩＤ２１２に対してマッチであるかどうかを決定することができる。モデム構成が現在のキャリアＩＤ２１２に対してマッチでない場合、処理回路は、ステップ６０８において、検査すべきさらなるモデム構成があるかどうかを決定する。検査すべきさらなるモデム構成がある場合、処理回路２０２は、ステップ６０４に戻り、次のモデム構成を読み取ることができる。
【００６６】
[0071]ステップ６０６において、処理回路２０２が、サブスクリプションモジュール２０４のキャリアＩＤ２１２に関連するモデム構成を検出した場合、処理回路２０２は、ステップ６１０においてそのモデム構成を選択する。一方、処理回路２０２が、現在のキャリアＩＤ２１２に関連するモデム構成を見つけることなしにすべてのモデム構成に目を通し、ステップ６０８において、検査すべきさらなるモデム構成がないことを決定した場合、処理回路２０２は、ステップ６１２においてデフォルトモデム構成を選択する。
【００６７】
[0072]モデム構成が選択されると、処理回路２０２は、図６中のステップ６１４によって示されるように、図４の方法中のステップ４０６に移動することができる。再び図２および図４を参照すると、アクセス端末２００は、ステップ４０６において、キャリアＩＤに関連する動作を可能にするように通信インターフェース２０６を構成するために、選択されたモデム構成をアクティブ化する。たとえば、モデム構成動作２２０を実行する処理回路２０２（たとえば、モデム構成器２１０）は、選択されたモデム構成をアクティブ化し得、そのモデム構成は、モデム構成データ２２２からの特定のソフトウェアイメージ３０４および／またはソフトウェア構成３０６を含む。いくつかの例では、選択されたモデム構成のアクティブ化は前のモデム構成を入れ替え得る。
【００６８】
[0073]モデム構成は、通信インターフェース２０６（たとえば、モデム回路２１８）において、選択されたモデム構成を実装することによってアクティブ化され得る。そのようなアクティブ化は、キャリアＩＤに関連する動作を可能にするように通信インターフェース２０６（たとえば、モデム回路２１８）を構成することができる。いくつかの事例では、キャリアＩＤに関連する動作は、単に、キャリアＩＤに関連するキャリアとの通信となる。他の事例では、動作は、デバイス製造業者によって実施されるテスト動作など、他の機能を含み得る。
【００６９】
[0074]選択されたモデム構成をアクティブ化することは、新しいモデム構成を実装するために通信インターフェース２０６をリブートまたはリセットすることをさらに含み得る。リブートまたはリセットすることは、キャリアＩＤ２１２に関連する動作を実施するために通信インターフェース２０６の再構成を完了するための従来のプロシージャを使用して達成され得る。
【００７０】
[0075]上記で本明細書で説明した１つまたは複数の態様を採用することによって、アクセス端末は、アクセス端末によって現在採用されているキャリアを用いて動作するように通信インターフェースを自動的に構成することができる。したがって、アクセス端末は、サブスクリプションモジュールが、新しいキャリアを含むように変更されるときはいつでも、新しいモデム構成を選択することができる。その結果、アクセス端末は、複数の端末と動的にインターフェースし、通信することができる。
【００７１】
[0076]キャリア固有動作のために通信インターフェースを自動的に構成することに関する例について上記で説明したが、本明細書で説明した機能はさらなる適用例を有することが明らかであろう。すなわち、本明細書で説明した機能のうちの少なくともいくつかは、再構成に対する動機づけにかかわらず、通信インターフェースを自動的に再構成する（たとえば、モデム回路のハードウェア構成、ソフトウェアイメージ、および／またはソフトウェア構成を再構成する）ために採用され得る。
【００７２】
[0077]たとえば、本明細書で説明した様々な機能は、特定のキャリアを用いた展開より前に新しいアクセス端末に対してテストを実施するためにアクセス端末製造業者によって採用され得る。一例では、製造業者は、新たに製造されたアクセス端末をテストする際に使用することを目的とするプリロードされたモデム構成に関連するキャリアＩＤを含む製造業者のサブスクリプションモジュールを採用し得る。製造業者のサブスクリプションモジュールはアクセス端末中に挿入され得る。アクセス端末は、製造業者のサブスクリプションモジュール中のキャリアＩＤに関連するモデム構成を選択し、アクティブ化することによって、テスト目的のためのモデム構成を実装することができる。テストの後に、製造業者は、製造業者のサブスクリプションモジュールをキャリア固有サブスクリプションモジュールと入れ替えることができ、アクセス端末は、キャリア固有サブスクリプションモジュールに関連するキャリアを用いた動作のために通信インターフェースを自動的に再構成することができる。
【００７３】
[0078]上記で説明した態様、構成、および実施形態について具体的な詳細および委細とともに説明したが、図１、図２、図３、図４、図５、および／または図６に示された構成要素、ステップ、機能および／または機能のうちの１つまたは複数は、単一の構成要素、ステップ、機能または機能に再構成されおよび／または組み合わせられるか、あるいはいくつかの構成要素、ステップ、または機能で実施され得る。また、本開示から逸脱することなく追加の要素、構成要素、ステップ、および／または機能が追加されるかまたは利用されないことがある。図１、図２、および／または図３に示された装置、デバイス、および／または構成要素は、図４、図５、および／または図６で説明した方法、機能、パラメータ、および／またはステップのうちの１つまたは複数を実施または採用するように構成され得る。本明細書で説明したアルゴリズムはまた、効率的にソフトウェアで実装されおよび／またはハードウェアに組み込まれ得る。
【００７４】
[0079]また、少なくともいくつかの実装形態について、フローチャート、流れ図、構造図、またはブロック図として示されたプロセスとして説明したことに留意されたい。フローチャートは動作を逐次プロセスとして説明することがあるが、動作の多くは並行してまたは同時に実施され得る。さらに、動作の順序は並べ替えられ得る。プロセスは、それの動作が完了したときに終了する。プロセスは、メソッド、関数、プロシージャ、サブルーチン、サブプログラムなどに対応し得る。プロセスが関数に対応するとき、それの終了は呼出し関数またはメイン関数への関数の復帰に対応する。本明細書で説明した様々な方法は、機械可読、コンピュータ可読、および／またはプロセッサ可読記憶媒体に記憶され、１つまたは複数のプロセッサ、機械および／またはデバイスによって実行され得る、プログラミング（たとえば、命令および／またはデータ）によって部分的にまたは完全に実装され得る。
【００７５】
[0080]さらに、本明細書で開示する実施形態に関して説明した様々な例示的な論理ブロック、モジュール、回路、およびアルゴリズムステップは、ハードウェア、ソフトウェア、ファームウェア、ミドルウェア、マイクロコード、またはそれらの任意の組合せとして実装され得ることを、当業者は諒解されよう。この互換性を明確に示すために、様々な例示的な構成要素、ブロック、モジュール、回路、およびステップについて、上記では概してそれらの機能に関して説明した。そのような機能がハードウェアとして実装されるか、ソフトウェアとして実装されるかは、特定の適用例および全体的なシステムに課される設計制約に依存する。
【００７６】
[0081]本明細書で説明し、添付の図面に示した例に関連する様々な機能は、本開示の範囲から逸脱することなく、異なる例および実装形態において実装され得る。したがって、ある特定の構造および構成について説明し、添付の図面に示したが、説明した実施形態への様々な他の追加および変更、ならびにそれらの実施形態からの削除は当業者には明らかであるので、そのような実施形態は例示的にすぎず、本開示の範囲を限定するものではない。したがって、本開示の範囲は、以下の特許請求の範囲の文字通りの文言、および法的均等物によってのみ決定される。
【図１】
2016519886.tif 000003
【図２】
2016519886.tif 000004
【図３】
2016519886.tif 000005
【図４】
2016519886.tif 000006
【図５】
2016519886.tif 000007
【図６】
2016519886.tif 000008
【手続補正書】
【提出日】平成27年11月26日(2015.11.26)
【手続補正１】
【補正対象書類名】特許請求の範囲
【補正対象項目名】全文
【補正方法】変更
【補正の内容】
【特許請求の範囲】
【請求項１】
アクセス端末であって、前記アクセス端末は下記を備える、
通信インターフェースと、
モデム構成データを備える記憶媒体と、
第１のキャリア識別情報を含む第１のサブスクリプションモジュールと、
前記通信インターフェースと、前記記憶媒体と、前記サブスクリプションモジュールとに結合された処理回路、前記処理回路は、
前記第１のサブスクリプションモジュールからの前記第１のキャリア識別情報を決定し、
前記モデム構成データから、前記第１のキャリア識別情報に関連するキャリア固有ソフトウェアイメージを含む第１のモデム構成を選択し、
前記第１のキャリア識別情報に関連するキャリアを用いて動作するように前記通信インターフェースを構成するために前記第１のモデム構成をアクティブ化する、
ように適応される。
【請求項２】
前記第１のキャリア識別情報が、前記第１のサブスクリプションモジュールの集積回路カード識別子（ＩＣＣＩＤ）中に含まれる発行者識別番号（ＩＩＮ）から決定される、請求項１に記載のアクセス端末。
【請求項３】
前記第１のキャリア識別情報が、前記第１のサブスクリプションモジュールのモバイル国コード（ＭＣＣ）とモバイルネットワークコード（ＭＮＣ）とを含むパブリックランドモバイルネットワークＩＤ（ＰＬＭＮＩＤ）から決定される、請求項１に記載のアクセス端末。
【請求項４】
前記第１のキャリア識別情報が、前記第１のサブスクリプションモジュールに関連する国際モバイル加入者識別情報（ＩＭＳＩ）から決定される、請求項１に記載のアクセス端末。
【請求項５】
前記第１のモデム構成が、前記キャリア固有ソフトウェアイメージとキャリア固有ソフトウェア構成を備える、請求項１に記載のアクセス端末。
【請求項６】
前記処理回路は、
前記第１のサブスクリプションモジュールが、前記第１のキャリア識別情報とは異なる第２のキャリア識別情報を含む第２のサブスクリプションモジュールと入れ替えられたと決定し、
前記モデム構成データから前記第２のキャリア識別情報に関連する第２のキャリア固有ソフトウェアイメージを含む第２のモデム構成を選択し、
前記第２のキャリア識別情報に関連するキャリアを用いて動作するように前記通信インターフェースを構成するために前記第１のモデム構成の代替として前記第２のモデム構成をアクティブ化する、
ようにさらに適応された、請求項１に記載のアクセス端末。
【請求項７】
前記処理回路は、前記アクセス端末が電源投入された時間に、前記第１のサブスクリプションモジュールが、前記アクセス端末が電源切断されたときに前記第２のサブスクリプションモジュールと入れ替えられたと決定するように適応された、請求項６に記載のアクセス端末。
【請求項８】
前記処理回路は、前記第１のサブスクリプションモジュールがランタイム動作中に前記第２のサブスクリプションモジュールと入れ替えられたと決定するように適応された、請求項６に記載のアクセス端末。
【請求項９】
前記処理回路は、前記第１のサブスクリプションモジュールからの前記第１のキャリア識別情報を決定する前に、キャリア自動選択機能が有効化されることを決定するようにさらに適応された、請求項１に記載のアクセス端末。
【請求項１０】
前記処理回路は、前記キャリア識別情報に関連するモデム構成が配置されていないときにデフォルトモデム構成を選択するようにさらに適応された、請求項１に記載のアクセス端末。
【請求項１１】
アクセス端末上で動作可能な方法であって、前記方法は下記を備える、
サブスクリプションモジュールからのキャリア識別情報を決定することと、
記憶媒体に記憶されたモデム構成データから前記キャリア識別情報に関連するソフトウェアイメージを備えるモデム構成を選択することと、
前記キャリア識別情報に関連する動作を可能にするように通信インターフェースを構成するために、前記選択されたモデム構成をアクティブ化すること。
【請求項１２】
前記サブスクリプションモジュールからの前記キャリア識別情報を決定することが、前記サブスクリプションモジュールの集積回路カード識別子（ＩＣＣＩＤ）中に含まれる発行者識別番号（ＩＩＮ）を識別することを備える、請求項１１に記載の方法。
【請求項１３】
前記サブスクリプションモジュールからの前記キャリア識別情報を決定することが、前記サブスクリプションモジュールに関連するパブリックランドモバイルネットワークＩＤ（ＰＬＭＮＩＤ）からのモバイル国コード（ＭＣＣ）とモバイルネットワークコード（ＭＮＣ）とを識別することを備える、請求項１１に記載の方法。
【請求項１４】
前記サブスクリプションモジュールからの前記キャリア識別情報を決定することが、
前記サブスクリプションモジュールに関連する国際モバイル加入者識別情報（ＩＭＳＩ）にアクセスすることと、
前記サブスクリプションモジュールに関連する前記ＩＭＳＩを含むＩＭＳＩの範囲に関連するキャリアの識別情報を識別することと、
を備える、請求項１１に記載の方法。
【請求項１５】
前記サブスクリプションモジュールからの前記キャリア識別情報を決定することは、前記サブスクリプションモジュールが前のサブスクリプションモジュールと入れ替わったことと、前記サブスクリプションモジュールからの前記キャリア識別情報が前記前のサブスクリプションモジュール中の前のキャリア識別情報とは異なることとを決定することを備える、請求項１１に記載の方法。
【請求項１６】
前記サブスクリプションモジュールが前記前のサブスクリプションモジュールと入れ替わったことを決定することは、前記サブスクリプションモジュールがランタイム動作中に前記前のサブスクリプションモジュールと入れ替わったことを検出することを備える、請求項１５に記載の方法。
【請求項１７】
前記キャリア識別情報に関連する動作を可能にするように通信インターフェースを構成するために、前記選択されたモデム構成をアクティブ化することが、
前のモデム構成を前記選択されたモデム構成と入れ替えること
を備え、ここにおいて、前記前のモデム構成が、前記前のキャリア識別情報に関連する動作を可能にするように前記通信インターフェースを構成するように適応された、請求項１５に記載の方法。
【請求項１８】
前記サブスクリプションモジュールからの前記キャリア識別情報を決定することは、前記アクセス端末が電源投入されたときに前記サブスクリプションモジュールからの前記キャリア識別情報を決定することを備える、請求項１１に記載の方法。
【請求項１９】
記憶媒体に記憶されたモデム構成データから前記キャリア識別情報に関連する前記ソフトウェアイメージを備える前記モデム構成を選択することは、前記キャリア識別情報に関連するモデム構成がないときにデフォルトモデム構成を選択することを備える、請求項１１に記載の方法。
【請求項２０】
記憶媒体に記憶されたモデム構成データから前記キャリア識別情報に関連する前記ソフトウェアイメージを備える前記モデム構成を選択することが、前記モデム構成データから、前記キャリア識別情報に関連する前記ソフトウェアイメージとソフトウェア構成を選択することを備える、請求項１１に記載の方法。
【請求項２１】
前記サブスクリプションモジュールからの前記キャリア識別情報を決定するより前に、キャリア自動選択機能が有効化されることを決定することをさらに備える、請求項１１に記載の方法。
【請求項２２】
前記キャリア識別情報に関連する動作を可能にするように前記通信インターフェースを構成するために、前記選択されたモデム構成をアクティブ化することが、前記キャリア識別情報に関連するキャリアを用いて動作するように前記通信インターフェースを構成するために、前記選択されたモデム構成をアクティブ化することを備える、請求項１１に記載の方法。
【請求項２３】
アクセス端末であって、前記アクセス端末は下記を備える、
第１のサブスクリプションモジュールからの第１のキャリア識別情報を決定するための手段と、
記憶媒体に記憶されたモデム構成データから前記第１のキャリア識別情報に関連するキャリア固有ソフトウェアイメージを含む第１のモデム構成を選択するための手段と、
前記第１のキャリア識別情報に関連するキャリアを用いて動作するように通信インターフェースを構成するために前記第１のモデム構成をアクティブ化するための手段。
【請求項２４】
前記第１のキャリア識別情報が、前記サブスクリプションモジュールの集積回路カード識別子（ＩＣＣＩＤ）中に含まれる発行者識別番号（ＩＩＮ）を備える、請求項２３に記載のアクセス端末。
【請求項２５】
前記第１のキャリア識別情報が、前記第１のサブスクリプションモジュールのパブリックランドモバイルネットワークＩＤ（ＰＬＭＮＩＤ）に関連するモバイル国コード（ＭＣＣ）とモバイルネットワークコード（ＭＮＣ）とを備える、請求項２３に記載のアクセス端末。
【請求項２６】
前記第１のキャリア識別情報が、前記サブスクリプションモジュールに関連する国際モバイル加入者識別情報（ＩＭＳＩ）を備える、請求項２３に記載のアクセス端末。
【請求項２７】
前記第１のモデム構成が、前記キャリア固有ソフトウェアイメージとキャリア固有ソフトウェア構成を備える、請求項２３に記載のアクセス端末。
【請求項２８】
前記第１のサブスクリプションモジュールが、前記第１のキャリア識別情報とは異なる第２のキャリア識別情報を含む第２のサブスクリプションモジュールと入れ替えられたと決定するための手段と、
前記モデム構成データから前記第２のキャリア識別情報に関連する第２のモデム構成を選択するための手段と、
前記第２のキャリア識別情報に関連するキャリアを用いて動作するように前記通信インターフェースを構成するために前記第１のモデム構成の代替として前記第２のモデム構成をアクティブ化するための手段と、
をさらに備える、請求項２３に記載のアクセス端末。
【請求項２９】
前記第１のサブスクリプションモジュールは、前記アクセス端末が電源切断されたときに前記第２のサブスクリプションモジュールと入れ替えられ、前記第１のサブスクリプションモジュールが前記第２のサブスクリプションモジュールと入れ替えられたという前記決定は、前記アクセス端末が再び電源投入されたときに行われる、請求項２８に記載のアクセス端末。
【請求項３０】
前記第１のサブスクリプションモジュールは、前記アクセス端末が電源投入されたときにランタイム動作中に前記第２のサブスクリプションモジュールと入れ替えられ、前記第１のサブスクリプションモジュールが前記第２のサブスクリプションモジュールと入れ替えられたという前記決定は前記ランタイム動作中に行われる、請求項２８に記載のアクセス端末。
【請求項３１】
前記キャリア識別情報に関連するモデム構成が識別されないときにデフォルトモデム構成を選択するための手段をさらに備える、請求項２３に記載のアクセス端末。
【請求項３２】
プロセッサ可読記憶媒体であって、処理回路に、
サブスクリプションモジュールからのキャリア識別情報を決定させ、
記憶媒体に記憶されたモデム構成データから前記キャリア識別情報に関連するキャリア固有ソフトウェアイメージを含むモデム構成を選択させ、
前記キャリア識別情報に関連する動作を可能にするように通信インターフェースを構成するために、前記選択されたモデム構成をアクティブ化させる、
ためのプログラミングを備える、プロセッサ可読記憶媒体。
【請求項３３】
前記第１のキャリア識別情報が、
前記サブスクリプションモジュールの集積回路カード識別子（ＩＣＣＩＤ）中に含まれる発行者識別番号（ＩＩＮ）、
前記サブスクリプションモジュールのパブリックランドモバイルネットワークＩＤ（ＰＬＭＮＩＤ）、前記ＰＬＭＮＩＤがモバイル国コード（ＭＣＣ）とモバイルネットワークコード（ＭＮＣ）とを含む、
前記サブスクリプションモジュールに関連する国際モバイル加入者識別情報（ＩＭＳＩ）、あるいは
前記ＩＩＮと、前記ＰＬＭＮＩＤと、前記ＩＭＳＩとのうちの２つまたはそれ以上の組合せ
を備える、請求項３２に記載のコンピュータ可読記憶媒体。
【請求項３４】
コンピュータに、前記キャリア識別情報に関連するモデム構成が配置されていないときにデフォルトモデム構成を選択することを行わせるためのプログラミングをさらに備える、請求項３２に記載のコンピュータ可読記憶媒体。
【請求項３５】
前記サブスクリプションモジュールからの前記キャリア識別情報の前記決定は、前記サブスクリプションモジュールが前のサブスクリプションモジュールと入れ替わっており、前記サブスクリプションモジュールからの前記キャリア識別情報が前記前のサブスクリプションモジュール中の前のキャリア識別情報とは異なる、という決定を備える、請求項３２に記載のコンピュータ可読記憶媒体。
【請求項３６】
前記選択されたモデム構成が、前のモデム構成の少なくとも一部分を前記選択されたモデム構成と入れ替えることによってアクティブ化され、ここにおいて、前記前のモデム構成が、前記前のキャリア識別情報に関連する動作を可能にするように前記通信インターフェースを構成するように適応された、請求項３５に記載のコンピュータ可読記憶媒体。
【請求項３７】
前記モデム構成が、前記キャリア固有ソフトウェアイメージとキャリア固有ソフトウェア構成を備える、請求項３２に記載のコンピュータ可読記憶媒体。
【手続補正２】
【補正対象書類名】明細書
【補正対象項目名】００７６
【補正方法】変更
【補正の内容】
【００７６】
[0081]本明細書で説明し、添付の図面に示した例に関連する様々な機能は、本開示の範囲から逸脱することなく、異なる例および実装形態において実装され得る。したがって、ある特定の構造および構成について説明し、添付の図面に示したが、説明した実施形態への様々な他の追加および変更、ならびにそれらの実施形態からの削除は当業者には明らかであるので、そのような実施形態は例示的にすぎず、本開示の範囲を限定するものではない。したがって、本開示の範囲は、以下の特許請求の範囲の文字通りの文言、および法的均等物によってのみ決定される。
以下に、本願出願の当初の特許請求の範囲に記載された発明を付記する。
［Ｃ１］
アクセス端末であって、前記アクセス端末は下記を備える、
通信インターフェースと、
モデム構成データを備える記憶媒体と、
第１のキャリア識別情報を含む第１のサブスクリプションモジュールと、
前記通信インターフェースと、前記記憶媒体と、前記サブスクリプションモジュールとに結合された処理回路、前記処理回路は、
前記第１のサブスクリプションモジュールからの前記第１のキャリア識別情報を決定し、
前記モデム構成データから、前記第１のキャリア識別情報に関連する第１のモデム構成を選択し、
前記第１のキャリア識別情報に関連するキャリアを用いて動作するように前記通信インターフェースを構成するために前記第１のモデム構成をアクティブ化する、
ように適応される。
［Ｃ２］
前記第１のキャリア識別情報が、前記第１のサブスクリプションモジュールの集積回路カード識別子（ＩＣＣＩＤ）中に含まれる発行者識別番号（ＩＩＮ）から決定される、Ｃ１に記載のアクセス端末。
［Ｃ３］
前記第１のキャリア識別情報が、前記第１のサブスクリプションモジュールのモバイル国コード（ＭＣＣ）とモバイルネットワークコード（ＭＮＣ）とを含むパブリックランドモバイルネットワークＩＤ（ＰＬＭＮＩＤ）から決定される、Ｃ１に記載のアクセス端末。
［Ｃ４］
前記第１のキャリア識別情報が、前記第１のサブスクリプションモジュールに関連する国際モバイル加入者識別情報（ＩＭＳＩ）から決定される、Ｃ１に記載のアクセス端末。
［Ｃ５］
前記第１のモデム構成が、キャリア固有ソフトウェアイメージ、キャリア固有ソフトウェア構成、またはキャリア固有ソフトウェアイメージとキャリア固有ソフトウェア構成の両方を備える、Ｃ１に記載のアクセス端末。
［Ｃ６］
前記処理回路は、
前記第１のサブスクリプションモジュールが、前記第１のキャリア識別情報とは異なる第２のキャリア識別情報を含む第２のサブスクリプションモジュールと入れ替えられたと決定し、
前記モデム構成データから前記第２のキャリア識別情報に関連する第２のモデム構成を選択し、
前記第２のキャリア識別情報に関連するキャリアを用いて動作するように前記通信インターフェースを構成するために前記第１のモデム構成の代替として前記第２のモデム構成をアクティブ化する、
ようにさらに適応された、Ｃ１に記載のアクセス端末。
［Ｃ７］
前記処理回路は、前記アクセス端末が電源投入された時間に、前記第１のサブスクリプションモジュールが、前記アクセス端末が電源切断されたときに前記第２のサブスクリプションモジュールと入れ替えられたと決定するように適応された、Ｃ６に記載のアクセス端末。
［Ｃ８］
前記処理回路は、前記第１のサブスクリプションモジュールがランタイム動作中に前記第２のサブスクリプションモジュールと入れ替えられたと決定するように適応された、Ｃ６に記載のアクセス端末。
［Ｃ９］
前記処理回路は、前記第１のサブスクリプションモジュールからの前記第１のキャリア識別情報を決定する前に、キャリア自動選択機能が有効化されることを決定するようにさらに適応された、Ｃ１に記載のアクセス端末。
［Ｃ１０］
前記処理回路は、前記キャリア識別情報に関連するモデム構成が配置されていないときにデフォルトモデム構成を選択するようにさらに適応された、Ｃ１に記載のアクセス端末。
［Ｃ１１］
アクセス端末上で動作可能な方法であって、前記方法は下記を備える、
サブスクリプションモジュールからのキャリア識別情報を決定することと、
記憶媒体に記憶されたモデム構成データから前記キャリア識別情報に関連するモデム構成を選択することと、
前記キャリア識別情報に関連する動作を可能にするように通信インターフェースを構成するために、前記選択されたモデム構成をアクティブ化すること。
［Ｃ１２］
前記サブスクリプションモジュールからの前記キャリア識別情報を決定することが、前記サブスクリプションモジュールの集積回路カード識別子（ＩＣＣＩＤ）中に含まれる発行者識別番号（ＩＩＮ）を識別することを備える、Ｃ１１に記載の方法。
［Ｃ１３］
前記サブスクリプションモジュールからの前記キャリア識別情報を決定することが、前記サブスクリプションモジュールに関連するパブリックランドモバイルネットワークＩＤ（ＰＬＭＮＩＤ）からのモバイル国コード（ＭＣＣ）とモバイルネットワークコード（ＭＮＣ）とを識別することを備える、Ｃ１１に記載の方法。
［Ｃ１４］
前記サブスクリプションモジュールからの前記キャリア識別情報を決定することが、
前記サブスクリプションモジュールに関連する国際モバイル加入者識別情報（ＩＭＳＩ）にアクセスすることと、
前記サブスクリプションモジュールに関連する前記ＩＭＳＩを含むＩＭＳＩの範囲に関連するキャリアの識別情報を識別することと、
を備える、Ｃ１１に記載の方法。
［Ｃ１５］
前記サブスクリプションモジュールからの前記キャリア識別情報を決定することは、前記サブスクリプションモジュールが前のサブスクリプションモジュールと入れ替わったことと、前記サブスクリプションモジュールからの前記キャリア識別情報が前記前のサブスクリプションモジュール中の前のキャリア識別情報とは異なることとを決定することを備える、Ｃ１１に記載の方法。
［Ｃ１６］
前記サブスクリプションモジュールが前記前のサブスクリプションモジュールと入れ替わったことを決定することは、前記サブスクリプションモジュールがランタイム動作中に前記前のサブスクリプションモジュールと入れ替わったことを検出することを備える、Ｃ１５に記載の方法。
［Ｃ１７］
前記キャリア識別情報に関連する動作を可能にするように通信インターフェースを構成するために、前記選択されたモデム構成をアクティブ化することが、
前のモデム構成を前記選択されたモデム構成と入れ替えること
を備え、ここにおいて、前記前のモデム構成が、前記前のキャリア識別情報に関連する動作を可能にするように前記通信インターフェースを構成するように適応された、Ｃ１５に記載の方法。
［Ｃ１８］
前記サブスクリプションモジュールからの前記キャリア識別情報を決定することは、前記アクセス端末が電源投入されたときに前記サブスクリプションモジュールからの前記キャリア識別情報を決定することを備える、Ｃ１１に記載の方法。
［Ｃ１９］
記憶媒体に記憶されたモデム構成データから前記キャリア識別情報に関連する前記モデム構成を選択することは、前記キャリア識別情報に関連するモデム構成がないときにデフォルトモデム構成を選択することを備える、Ｃ１１に記載の方法。
［Ｃ２０］
記憶媒体に記憶されたモデム構成データから前記キャリア識別情報に関連する前記モデム構成を選択することが、前記モデム構成データから、前記キャリア識別情報に関連するソフトウェアイメージ、前記キャリア識別情報に関連するソフトウェア構成、または前記キャリア識別情報に関連するソフトウェアイメージとソフトウェア構成の両方を選択することを備える、Ｃ１１に記載の方法。
［Ｃ２１］
前記サブスクリプションモジュールからの前記キャリア識別情報を決定するより前に、キャリア自動選択機能が有効化されることを決定することをさらに備える、Ｃ１１に記載の方法。
［Ｃ２２］
前記キャリア識別情報に関連する動作を可能にするように前記通信インターフェースを構成するために、前記選択されたモデム構成をアクティブ化することが、前記キャリア識別情報に関連するキャリアを用いて動作するように前記通信インターフェースを構成するために、前記選択されたモデム構成をアクティブ化することを備える、Ｃ１１に記載の方法。
［Ｃ２３］
アクセス端末であって、前記アクセス端末は下記を備える、
第１のサブスクリプションモジュールからの第１のキャリア識別情報を決定するための手段と、
記憶媒体に記憶されたモデム構成データから前記第１のキャリア識別情報に関連する第１のモデム構成を選択するための手段と、
前記第１のキャリア識別情報に関連するキャリアを用いて動作するように通信インターフェースを構成するために前記第１のモデム構成をアクティブ化するための手段。
［Ｃ２４］
前記第１のキャリア識別情報が、前記サブスクリプションモジュールの集積回路カード識別子（ＩＣＣＩＤ）中に含まれる発行者識別番号（ＩＩＮ）を備える、Ｃ２３に記載のアクセス端末。
［Ｃ２５］
前記第１のキャリア識別情報が、前記第１のサブスクリプションモジュールのパブリックランドモバイルネットワークＩＤ（ＰＬＭＮＩＤ）に関連するモバイル国コード（ＭＣＣ）とモバイルネットワークコード（ＭＮＣ）とを備える、Ｃ２３に記載のアクセス端末。
［Ｃ２６］
前記第１のキャリア識別情報が、前記サブスクリプションモジュールに関連する国際モバイル加入者識別情報（ＩＭＳＩ）を備える、Ｃ２３に記載のアクセス端末。
［Ｃ２７］
前記第１のモデム構成が、キャリア固有ソフトウェアイメージ、キャリア固有ソフトウェア構成、またはキャリア固有ソフトウェアイメージとキャリア固有ソフトウェア構成の両方を備える、Ｃ２３に記載のアクセス端末。
［Ｃ２８］
前記第１のサブスクリプションモジュールが、前記第１のキャリア識別情報とは異なる第２のキャリア識別情報を含む第２のサブスクリプションモジュールと入れ替えられたと決定するための手段と、
前記モデム構成データから前記第２のキャリア識別情報に関連する第２のモデム構成を選択するための手段と、
前記第２のキャリア識別情報に関連するキャリアを用いて動作するように前記通信インターフェースを構成するために前記第１のモデム構成の代替として前記第２のモデム構成をアクティブ化するための手段と、
をさらに備える、Ｃ２３に記載のアクセス端末。
［Ｃ２９］
前記第１のサブスクリプションモジュールは、前記アクセス端末が電源切断されたときに前記第２のサブスクリプションモジュールと入れ替えられ、前記第１のサブスクリプションモジュールが前記第２のサブスクリプションモジュールと入れ替えられたという前記決定は、前記アクセス端末が再び電源投入されたときに行われる、Ｃ２８に記載のアクセス端末。
［Ｃ３０］
前記第１のサブスクリプションモジュールは、前記アクセス端末が電源投入されたときにランタイム動作中に前記第２のサブスクリプションモジュールと入れ替えられ、前記第１のサブスクリプションモジュールが前記第２のサブスクリプションモジュールと入れ替えられたという前記決定は前記ランタイム動作中に行われる、Ｃ２８に記載のアクセス端末。
［Ｃ３１］
前記キャリア識別情報に関連するモデム構成が識別されないときにデフォルトモデム構成を選択するための手段をさらに備える、Ｃ２３に記載のアクセス端末。
［Ｃ３２］
プロセッサ可読記憶媒体であって、処理回路に、
サブスクリプションモジュールからのキャリア識別情報を決定させ、
記憶媒体に記憶されたモデム構成データから前記キャリア識別情報に関連するモデム構成を選択させ、
前記キャリア識別情報に関連する動作を可能にするように通信インターフェースを構成するために、前記選択されたモデム構成をアクティブ化させる、
ためのプログラミングを備える、プロセッサ可読記憶媒体。
［Ｃ３３］
前記第１のキャリア識別情報が、
前記サブスクリプションモジュールの集積回路カード識別子（ＩＣＣＩＤ）中に含まれる発行者識別番号（ＩＩＮ）、
前記サブスクリプションモジュールのパブリックランドモバイルネットワークＩＤ（ＰＬＭＮＩＤ）、前記ＰＬＭＮＩＤがモバイル国コード（ＭＣＣ）とモバイルネットワークコード（ＭＮＣ）とを含む、
前記サブスクリプションモジュールに関連する国際モバイル加入者識別情報（ＩＭＳＩ）、あるいは
前記ＩＩＮと、前記ＰＬＭＮＩＤと、前記ＩＭＳＩとのうちの２つまたはそれ以上の組合せ
を備える、Ｃ３２に記載のコンピュータ可読記憶媒体。
［Ｃ３４］
コンピュータに、前記キャリア識別情報に関連するモデム構成が配置されていないときにデフォルトモデム構成を選択することを行わせるためのプログラミングをさらに備える、Ｃ３２に記載のコンピュータ可読記憶媒体。
［Ｃ３５］
前記サブスクリプションモジュールからの前記キャリア識別情報の前記決定は、前記サブスクリプションモジュールが前のサブスクリプションモジュールと入れ替わっており、前記サブスクリプションモジュールからの前記キャリア識別情報が前記前のサブスクリプションモジュール中の前のキャリア識別情報とは異なる、という決定を備える、Ｃ３２に記載のコンピュータ可読記憶媒体。
［Ｃ３６］
前記選択されたモデム構成が、前のモデム構成の少なくとも一部分を前記選択されたモデム構成と入れ替えることによってアクティブ化され、ここにおいて、前記前のモデム構成が、前記前のキャリア識別情報に関連する動作を可能にするように前記通信インターフェースを構成するように適応された、Ｃ３５に記載のコンピュータ可読記憶媒体。
［Ｃ３７］
前記モデム構成が、キャリア固有ソフトウェアイメージ、キャリア固有ソフトウェア構成、またはキャリア固有ソフトウェアイメージとキャリア固有ソフトウェア構成の両方を備える、Ｃ３２に記載のコンピュータ可読記憶媒体。
【国際調査報告】
2016519886.tif 000009
2016519886.tif 000010
2016519886.tif 000011